(57)【要約】【課題】  鍵の動きをイメージとして実感させることができる鍵盤装置を提供する。【解決手段】  鍵盤シャーシ３上に並列に配列された状態で上下方向に回転可能に設けられた複数の鍵５がその下側に開放された中空状に形成され、その上部が特定波長の光を透過する第１波長選択部８ａ、９ａに形成され、その鍵５の下部が前記特定波長と異なる他の特定波長の光を透過する第２波長選択部８ｂ、９ｂに形成されており、鍵盤シャーシ３上に、鍵５の下側からその鍵５の内部に向けてそれぞれ特定波長の光を照射する第１発光素子３１、３３と、鍵５の下側からその鍵５の内部に向けてそれぞれ前記他の特定波長の光を照射する第２発光素子３２、３４とを設けた。従って、第１発光素子３１、３３によって鍵５が浮き上がるように見せることができ、また第２発光素子３２、３４によって鍵５が沈み込んであたかも押鍵されているように見せることができる。【選択図】        図２
2012173386.tif 000002
【特許請求の範囲】
【請求項１】
鍵盤シャーシ上に複数の鍵が並列に配列された状態で上下方向に回転可能に設けられた鍵盤装置において、
前記鍵は、その下側に開放された中空状に形成され、その上部が特定波長の光を透過する第１波長選択部に形成され、下部が前記特定波長と異なる他の特定波長の光を透過する第２波長選択部に形成されており、
前記鍵盤シャーシ上には、前記鍵の下側からその鍵の内部に向けてそれぞれ前記特定波長の光を照射する第１発光素子と、前記鍵の下側からその鍵の内部に向けてそれぞれ前記他の特定波長の光を照射する第２発光素子とが、設けられていることを特徴とする鍵盤装置。
【請求項２】
請求項１に記載の鍵盤装置において、前記複数の鍵は、前記第１、第２の各波長選択部を有する複数の白鍵と、前記第１、第２の各波長選択部を有する複数の黒鍵とを有し、前記白鍵の前記第１波長選択部と前記黒鍵の前記第１波長選択部とは透過する光の波長が異なり、前記白鍵の前記第２波長選択部と前記黒鍵の前記第２波長選択部とは透過する光の波長が異なることを特徴とする鍵盤装置。
【請求項３】
請求項１または請求項２に記載の鍵盤装置において、前記第１、第２の各発光素子は、そのいずれか一方が選択的に発光することを特徴とする鍵盤装置。
【請求項４】
請求項１または請求項２に記載の鍵盤装置において、前記第１、第２の各発光素子は、その両方を同時に発光させた状態で、いずれか一方を選択的に消灯させることを特徴とする鍵盤装置。
【発明の詳細な説明】
【技術分野】
【０００１】
この発明は、電子ピアノや電子オルガンなどの電子鍵盤楽器に用いられる鍵盤装置に関し、更に詳しくは演奏に応じて各鍵が光る鍵盤装置に関する。
【背景技術】
【０００２】
例えば、電子ピアノなどの鍵盤装置において、特許文献１に記載されているように、鍵盤シャーシ上に複数の鍵を並列に配列させた状態で上下方向に回転可能に設けると共に、この鍵盤シャーシ上に各鍵の内部に光を照射させるための複数の発光素子を各鍵にそれぞれ対応させて設け、この複数の発光素子を順次発光させることにより、演奏に応じて押鍵すべき鍵を光らせて指示するナビゲーション機能を備えたものが知られている。
【先行技術文献】
【特許文献】
【０００３】
【特許文献１】特開２００１−３４２６８号公報
【発明の概要】
【発明が解決しようとする課題】
【０００４】
しかしながら、このような従来の鍵盤装置では、複数の発光素子を順次発光させることにより、演奏に応じて押鍵すべき鍵を光らせることができても、押鍵すべき鍵が押鍵されているような状態に見えないため、鍵の動きのイメージを使用者が実感することができないという問題がある。
【０００５】
この発明が解決しようとする課題は、鍵の動きをイメージとして実感させることができる鍵盤装置を提供することである。
【課題を解決するための手段】
【０００６】
この発明は、鍵盤シャーシ上に複数の鍵が並列に配列された状態で上下方向に回転可能に設けられた鍵盤装置において、前記鍵は、その下側に開放された中空状に形成され、その上部が特定波長の光を透過する第１波長選択部に形成され、下部が前記特定波長と異なる他の特定波長の光を透過する第２波長選択部に形成されており、前記鍵盤シャーシ上には、前記鍵の下側からその鍵の内部に向けてそれぞれ前記特定波長の光を照射する第１発光素子と、前記鍵の下側からその鍵の内部に向けてそれぞれ前記他の特定波長の光を照射する第２発光素子とが、設けられていることを特徴とする鍵盤装置である。
【発明の効果】
【０００７】
この発明によれば、第１発光素子を発光させて特定波長の光を鍵の内部に照射すると、第１発光素子による特定波長の光が第２波長選択部で遮断されて、鍵の下部が暗くなり、この状態で第１発光素子による特定波長の光が鍵の第１波長選択部を透過するので、鍵の上部を光らせることができる。これにより、鍵が浮き上がっているかのように見えることにより、鍵が押鍵されていないような状態に見させることができる。
【０００８】
また、第２発光素子を発光させて他の特定波長の光を鍵の内部に照射すると、第２発光素子による他の特定波長の光が鍵の第２波長選択部を透過し、鍵の下部を他の特定波長の光で光らせた状態で、第２発光素子による他の特定波長の光が鍵の第１波長選択部で遮断されて、鍵の上部を暗くすることができる。これにより、鍵が沈み込んで、あたかも押鍵されているかのように見せることができる。このため、演奏に応じて、第１、第２の各発光素子の点灯状態を制御することにより、鍵の動きをイメージとして実感させることができる。
【図面の簡単な説明】
【０００９】
【図１】この発明を電子鍵盤楽器に適用した一実施形態を示した正面図である。
【図２】図１に示された電子鍵盤楽器のＡ−Ａ矢視における拡大断面図である。
【図３】図２に示された電子鍵盤楽器における白鍵を示した要部の拡大斜視図である。
【図４】図３に示された白鍵を分解して示した要部の拡大斜視図である。
【図５】図３に示された白鍵のＢ−Ｂ矢視における要部の拡大断面図である。
【図６】図２に示された電子鍵盤楽器における黒鍵を示した要部の拡大斜視図である。
【図７】図６に示された黒鍵を分解して示した要部の拡大斜視図である。
【図８】図６に示された黒鍵のＣ−Ｃ矢視における要部の拡大断面図である。
【図９】図１に示された電子鍵盤楽器の鍵盤部において、複数の鍵を演奏に応じて光らせた状態を示した要部の拡大斜視図である。
【図１０】図１に示された電子鍵盤楽器の鍵盤部において、複数の鍵を演奏に応じて光らせる状態を変更した変形例を示した要部の拡大斜視図である。
【発明を実施するための形態】
【００１０】
以下、図１〜図９を参照して、この発明を電子鍵盤楽器に適用した一実施形態について説明する。
この電子鍵盤楽器は、図１および図２に示すように、楽器本体１と鍵盤部２とを備えている。楽器本体１は、図２に示すように、下部ケースを兼ねる鍵盤シャーシ３と、この鍵盤シャーシ３の後部上に配置されて鍵盤部２の後端部および両側部を覆う上部ケース４とを備えている。
【００１１】
鍵盤部２は、図１および図２に示すように、鍵盤シャーシ３上に並列に配列された状態で上下方向にそれぞれ回転可能に取り付けられた光透過性を有する複数の鍵５と、この複数の鍵５にその押鍵操作に応じてそれぞれアクション荷重を付与する複数のハンマー部材６と、複数の鍵５の押鍵動作に応じてそれぞれオン信号を出力するスイッチ部７とを備えている。
【００１２】
この鍵盤部２を搭載する鍵盤シャーシ３は、図２に示すように、楽器本体１の下部ケースを構成するものであり、その前端部（図２では右端部）には、前脚部１０が底部から上方に突出して形成されている。この前脚部１０の前端部（図２では右端部）には、鍵５の前端面に対応する前カバー部１１が前部上方（図２では右側上方）に向けて更に突出して形成されている。
【００１３】
また、この鍵盤シャーシ３の前脚部１０における後部側（図２では左側）には、図２に示すように、後述する素子基板１２を搭載する第１基板搭載部１３が前脚部１０とほぼ同じ高さに形成されている。この第１基板搭載部１３の後部側（図２では左側）に位置する鍵盤シャーシ３の箇所には、後述する複数のハンマー部材６を搭載するためのハンマー搭載部１４が第１基板搭載部１３よりも少し高く形成されている。
【００１４】
このハンマー搭載部１４の前部側（図２では左側）に位置する鍵盤シャーシ３の箇所には、図２に示すように、立上り部１５が鍵盤シャーシ３の底部から上方に向けて起立して形成されている。この立上り部１５には、複数のハンマー部材６の後部（図２では左側部）が鍵盤シャーシ３の前側から後側に向けて挿入する開口部１５ａが設けられている。また、ハンマー搭載部１４の上部には、鍵５を上下方向にガイドする鍵ガイド部１４ａが上方に起立して設けられており、このハンマー搭載部１４の下部には、複数のハンマー部材６をそれぞれ回転可能に支持するためのハンマー支持部２９が設けられている。
【００１５】
また、このハンマー搭載部１４の後部側（図２では右側）に位置する鍵盤シャーシ３の箇所には、図２に示すように、スイッチ部７を搭載する第２基板搭載部１６が形成されている。この第２基板搭載部１６の上面には、スイッチ部７のスイッチ基板２２が取り付けられている。また、鍵盤シャーシ３の後部、つまり第２基板搭載部１６の後部側（図２では左側部）に位置する鍵盤シャーシ３の箇所には、複数の鍵５を搭載する鍵搭載部１７が前カバー部１１とほぼ同じ高さで形成されている。
【００１６】
さらに、鍵盤シャーシ３の鍵搭載部１７の後端部（図２では左端部）に位置する鍵盤シャーシ３の箇所には、図２に示すように、鍵盤シャーシ３の後端部を支持する後脚部１８が、鍵盤シャーシ３の上部から底部に向けて垂下されている。なお、この後脚部１８の後端部に位置する鍵盤シャーシ３の箇所には、上部ケース４が鍵盤シャーシ３の後端部側と鍵盤部２の後端部側とを覆った状態で取り付けられている。また、この鍵盤シャーシ３の底部には、底板３ａが設けられている。
【００１７】
一方、複数の鍵５は、複数の白鍵８と複数の黒鍵９とを有している。この鍵５は、図２に示すように、その後部が鍵盤シャーシ３の鍵搭載部１７に設けられた鍵支持部１９の支持軸２０にそれぞれ上下方向に回転可能に取り付けられた構成になっている。この鍵５における前後方向のほぼ中間部には、鍵盤シャーシ３の第２基板搭載部１６上に取り付けられたスイッチ部７を押圧するためのスイッチ押圧部２１がそれぞれ下側に突出して形成されている。
【００１８】
この場合、スイッチ部７は、図２に示すように、スイッチ基板２２と、このスイッチ基板２２上に配置されたゴムシート２３を備えている。このゴムシート２３には、ドーム状の膨出部２３ａが鍵２の各スイッチ押圧部２１にそれぞれ対応して形成されている。このスイッチ部７は、ゴムシート２３の膨出部２３ａが各鍵５の各スイッチ押圧部２１によって押圧された際に、膨出部２３ａが弾性変形して、その内部の可動接点がスイッチ基板２２の固定接点（いずれも図示せず）に接触してオン信号を出力するように構成されている。
【００１９】
また、この鍵５における前端部とスイッチ押圧部２１との間には、図２に示すように、ハンマー部材６を上下方向に回転させるためのハンマー押圧部２４が下側に突出して形成されている。ハンマー部材６は、その後部に錘部２５ａを有するハンマー本体２５と、このハンマー本体２５の前部（図２では右側部）にそれぞれ設けられた軸受け部２６と、ハンマー本体２５の前部から斜め前側上方（図２では右上側）に突出して形成された鍵当接部２７とを備えている。
【００２０】
このハンマー部材６は、図２に示すように、ハンマー本体２５の前部（図２では右側部）がハンマー搭載部１４の下側から立上り部１５の開口部１５ａに挿入され、この状態でハンマー本体２５の前部（図２では右側部）に設けられた軸受け部２６が、ハンマー搭載部１４の下面に設けられたハンマー支持部２９の軸部２９ａに上下方向に回転自在に取り付けられることにより、ハンマー本体２５の前側上部の鍵当接部２７が、鍵盤シャーシ３のハンマー支持部２９の前側上方（図２では右側上方）に位置するように構成されている。
【００２１】
この場合、ハンマー部材６は、図２に示すように、鍵当接部２７が鍵２のハンマー押圧部２４に対応し、この鍵当接部２７が鍵２のハンマー押圧部２４に設けられた中空状の保持部２４ａ内に挿入されて摺動可能に保持され、この状態で鍵２が押鍵された際に、鍵当接部２７が鍵２のハンマー押圧部２４によって押し下げられることにより、ハンマー本体２５が軸部２９ａを中心に時計回りに回転するように構成される。
【００２２】
このため、ハンマー部材６は、図２に示すように、鍵５が押鍵されていない初期状態のときに、ハンマー本体２５がその自重で軸部２９ａを中心に反時計回りに回転し、ハンマー本体２５の錘部２５ａにコーティングされた緩衝部材２８が鍵盤シャーシ３の底板３ａに当接して、ハンマー本体２５が下限位置に規制されるように構成されている。これにより、ハンマー部材６は、鍵当接部２６が鍵５のハンマー押圧部２４を押し上げて、鍵５を上方に押し上げることにより、鍵５を上限位置に規制するように構成されている。
【００２３】
また、このハンマー部材６は、鍵５が押鍵された際に、鍵５のハンマー押圧部２４によって、ハンマー部材６の鍵当接部２７が押し下げられると、ハンマー本体２５がその自重に抗して軸部２９ａを中心に時計回りに回転して、鍵５にアクション荷重を付与すると共に、ハンマー本体２５の錘部２５ａにコーティングされた緩衝部材２８が、鍵盤シャーシ３の鍵搭載部１７の下面に当接して、ハンマー本体２５が上限位置に規制されることにより、鍵５を下限位置に規制するように構成されている。
【００２４】
ところで、鍵盤シャーシ３の第１基板搭載部１３上には、図２に示すように、素子基板１２が搭載されている。この素子基板１２は、鍵５の配列方向に沿って連続する帯状に形成されている。また、この素子基板１２は、接続ケーブル（図示せず）によってスイッチ部７のスイッチ基板２２と電気的に接続されている。
【００２５】
この場合、素子基板１２の上面には、図２に示すように、後述する第１、第２の各発光素子３１、３２が、複数の白鍵８にそれぞれ対応して設けられている。また、スイッチ基板２２の上面にも、図２に示すように、後述する複数の第１、第２の各発光素子３３、３４が、複数の黒鍵９にそれぞれ対応して設けられている。
【００２６】
一方、複数の鍵５のうち、複数の白鍵８は、図３〜図５に示すように、下側に開放された中空状の細長いほぼ長方形状に形成されている。この白鍵８は、その上部と下部とが異なる波長の光を透過するように構成されている。すなわち、この白鍵８は、図３〜図５に示すように、その上部が特定波長の光、例えば赤波長の光を透過する第１波長選択部８ａに形成され、下部が他の特定波長の光、例えば青波長の光を透過する第２波長選択部８ｂに形成された構成になっている。
【００２７】
この場合、第１波長選択部８ａは、ポリカーボネ−ト樹脂（ＰＣ）、アクリル樹脂（ＰＭＭＡ）、ＡＢＳ樹脂などの透明な合成樹脂を赤色の染料などで着色した第１の合成樹脂によって、ほぼ帯板状に形成されている。また、第２波長選択部８ｂは、ポリカーボネ−ト樹脂（ＰＣ）、アクリル樹脂（ＰＭＭＡ）、ＡＢＳ樹脂などの透明な合成樹脂を青色の染料などで着色した第２の合成樹脂によって、上下に開放された細長いほぼ長方形の枠状に形成されている。
【００２８】
すなわち、この白鍵８は、図３〜図５に示すように、第１の合成樹脂によって第１波長選択部８ａを第１の成形用金型で成形し、この成形された第１波長選択部８ａを第２の成形用金型内に配置し、この状態で第２の合成樹脂によって第２波長選択部８ｂを成形することにより、第１、第２の各波長選択部８ａ、８ｂが２色成形によって一体に形成され、これにより下側に開放された細長いほぼ長方形の箱状に形成された構成になっている。
【００２９】
この場合、この白鍵８は、上述した成形方法とは逆に、第２の合成樹脂によって第２波長選択部８ｂを第１の成形用金型で成形し、この成形された第２波長選択部８ｂを第２の成形用金型内に配置し、この状態で第１の合成樹脂によって第１波長選択部８ａを成形することにより、第１、第２の各波長選択部８ａ、８ｂが２色成形によって一体に形成され、これにより下側に開放された細長いほぼ長方形の箱状に形成された構成であっても良い。
【００３０】
同様に、黒鍵９は、図６〜図８に示すように、下側に開放された中空状の細長いほぼ長方形状に形成されている。この黒鍵９も、白鍵８と同様、その上部と下部とが異なる波長の光を透過するように構成されている。すなわち、この黒鍵９は、その上部が白鍵８の第１波長選択部８ａと異なる特定波長の光、例えば青波長の光を透過する第１波長選択部９ａに形成され、下部が第１波長選択部９ａと異なる他の特定波長の光、例えば赤波長の光を透過する第２波長選択部９ｂに形成された構成になっている。
【００３１】
この場合にも、第１波長選択部９ａは、ポリカーボネ−ト樹脂（ＰＣ）、アクリル樹脂（ＰＭＭＡ）、ＡＢＳ樹脂などの透明な合成樹脂を青色の染料などで着色した第１の合成樹脂によって、下側に開放された厚みの薄い細長いほぼ箱状に形成されている。また、第２波長選択部９ｂは、ポリカーボネ−ト樹脂（ＰＣ）、アクリル樹脂（ＰＭＭＡ）、ＡＢＳ樹脂などの透明な合成樹脂を赤色の染料などで着色した第２の合成樹脂によって、上下に開放された細長いほぼ長方形の枠状に形成されている。
【００３２】
すなわち、この黒鍵９も、図６〜図８に示すように、第１の合成樹脂によって第１波長選択部９ａを第１の成形用金型で成形し、この成形された第１波長選択部９ａを第２の成形用金型内に配置し、この状態で第２の合成樹脂によって第２波長選択部９ｂを成形することにより、第１、第２の各波長選択部９ａ、９ｂが２色成形によって一体に形成され、これにより下側に開放された細長いほぼ長方形の箱状に形成された構成になっている。
【００３３】
この場合にも、この黒鍵９は、上述した成形方法とは逆に、第２の合成樹脂によって第２波長選択部９ｂを第１の成形用金型で成形し、この成形された第２波長選択部９ｂを第２の成形用金型内に配置し、この状態で第１の合成樹脂によって第１波長選択部９ａを成形することにより、第１、第２の各波長選択部９ａ、９ｂが２色成形によって一体に形成され、これにより下側に開放された細長いほぼ長方形の箱状に形成された構成であっても良い。
【００３４】
一方、白鍵８に光を照射する第１、第２の各発光素子３１、３２のうち、第１発光素子３１は、図２に示すように、発光ダイオード（ＬＥＤ）からなり、発光した光を白鍵８の内部にその下側から照射するように構成されている。この場合、第１発光素子３１は、白鍵８の上部に位置する第１波長選択部８ａを透過する波長の光と同じ波長の光、つまり赤波長の光を発光するように構成されている。
【００３５】
また、この白鍵８に光を照射する第２発光素子３２も、図２に示すように、発光ダイオード（ＬＥＤ）からなり、第１発光素子３１の近傍に配置され、この状態で第１発光素子３１と同様、発光した光を白鍵８の内部にその下側から照射するように構成されている。この場合、第２発光素子３２は、白鍵８の下部に位置する第２波長選択部８ｂを透過する波長の光と同じ波長の光、つまり青波長の光を発光するように構成されている。
【００３６】
これにより、白鍵８は、図９に示すように、第１発光素子３１が発光して白鍵８の内部に赤波長の光が照射されると、その照射された赤波長の光が白鍵８の上部に位置する第１波長選択部８ａを透過して上側に放出されることにより、白鍵８の上面部が赤く光ると共に、白鍵８の内部に照射された赤波長の光が白鍵８の下部に位置する第２波長選択部８ｂで吸収されることにより、白鍵８の下部外周面（つまり下部側面および下部前面）が黒く見えるように構成されている。
【００３７】
また、この白鍵８は、図９に示すように、第２発光素子３２が発光して白鍵８の内部に青波長の光が照射されると、その照射された青波長の光が白鍵８の下部に位置する第２波長選択部８ｂを透過して外周側に放出されることにより、白鍵８の下部外周面（つまり下部側面および下部前面）が青く光ると共に、白鍵８の内部に照射された青波長の光が白鍵８の上部に位置する第１波長選択部８ａで吸収されることにより、白鍵８の上面部が黒く見えるように構成されている。
【００３８】
同様に、黒鍵９に光を照射する第１、第２の各発光素子３３、３４のうち、第１発光素子３３は、図２に示すように、発光ダイオード（ＬＥＤ）からなり、発光した光を黒鍵９の内部にその下側から照射するように構成されている。この場合にも、第１発光素子３３は、黒鍵９の上部に位置する第１波長選択部９ａを透過する波長の光と同じ波長の光、つまり青波長の光を発光するように構成されている。
【００３９】
また、この黒鍵９に光を照射する第２発光素子３４も、図２に示すように、発光ダイオード（ＬＥＤ）からなり、第１発光素子３３の近傍に配置され、この状態で第１発光素子３３と同様、発光した光を黒鍵９の内部にその下側から照射するように構成されている。この場合にも、第２発光素子３４は、黒鍵９の下部に位置する第２波長選択部９ｂを透過する波長の光と同じ波長の光、つまり赤波長の光を発光するように構成されている。
【００４０】
これにより、黒鍵９は、図９に示すように、第１発光素子３３が発光して黒鍵９の内部に青波長の光が照射されると、その照射された青波長の光が黒鍵９の上部に位置する第１波長選択部９ａを透過して上側に放出されることにより、黒鍵９の上面部が青く光ると共に、黒鍵９の内部に照射された青波長の光が黒鍵９の下部に位置する第２波長選択部９ｂで吸収されることにより、黒鍵９の下部外周面（つまり下部側面および下部前面）が黒く見えるように構成されている。
【００４１】
また、この黒鍵９は、図９に示すように、第２発光素子３４が発光して黒鍵９の内部に赤波長の光が照射されると、その照射された赤波長の光が黒鍵９の下部に位置する第２波長選択部９ｂを透過して外周側に放出されることにより、黒鍵９の下部外周面（つまり下部側面および下部前面）が赤く光ると共に、黒鍵９の内部に照射された赤波長の光が黒鍵９の上部に位置する第１波長選択部９ａで吸収されることにより、黒鍵９の上面部が黒く見えるように構成されている。
【００４２】
次に、このような電子鍵盤楽器の作用について説明する。
この電子鍵盤楽器において複数の鍵５を順次押鍵して演奏する場合には、その演奏に応じて押鍵すべき鍵５に対応する第１、第２の各発光素子３１〜３４を順次選択的に発光させ、この第１、第２の各発光素子３１〜３４で発光した光を各鍵５の内部に順次選択的に照射させる。このときには、まず、複数の白鍵８にそれぞれ対応する各第１発光素子３１と、複数の黒鍵９にそれぞれ対応する各第１発光素子３３とを全て発光させて、全ての白鍵８の上面部を赤く光らせると共に、全て黒鍵９の上面部を青く光らせる。
【００４３】
すなわち、白鍵８に対応する第１発光素子３１が発光して赤波長の光が白鍵８の内部に照射されると、この照射された赤波長の光が白鍵８の上部に位置する第１波長選択部８ａを透過して上側に放出されることにより、白鍵８の上面部が赤く光ると共に、白鍵８の内部に照射された赤波長の光が白鍵８の下部に位置する第２波長選択部８ｂで吸収されることにより、白鍵８の下部外周面が黒く見える。これにより、図９に示すように、白鍵８が浮き上がっているかのように見えるので、白鍵８が押鍵されていないように見える。
【００４４】
同様に、黒鍵９に対応する第１発光素子３３が発光して青波長の光が黒鍵９の内部に照射されると、この照射された青波長の光が黒鍵９の上部に位置する第１波長選択部９ａを透過して上側に放出されることにより、黒鍵９の上面部が青く光ると共に、黒鍵９の内部に照射された青波長の光が黒鍵８の下部に位置する第２波長選択部９ｂで吸収されることにより、黒鍵９の下部外周面が黒く見える。これにより、図９に示すように、黒鍵９が浮き上がっているかのように見えるので、黒鍵９が押鍵されていないように見える。
【００４５】
このような状態で、演奏に応じて押鍵すべき鍵５に対応する第１発光素子３１、３３を順次消灯させて第２発光素子３２、３４を順次点灯させる。すなわち、押鍵すべき白鍵８に対応する第１発光素子３１が消灯して第２発光素子３２が点灯すると、第２発光素子３２が青波長の光を発光し、押鍵すべき白鍵８の上面部を暗くして下部外周面を青く光らせることにより、図９に示すように、白鍵８が沈み込んでいるかのように見せる。
【００４６】
すなわち、このときには、図９に示すように、第２発光素子３２で発光した青波長の光が白鍵８の内部に照射され、その照射された青波長の光が白鍵８の下部に位置する第２波長選択部８ｂを透過して外周側に放出されることにより、白鍵８の下部外周面が青く光ると共に、白鍵８の内部に照射された青波長の光が白鍵８の上部に位置する第１波長選択部８ａで吸収されることにより、白鍵８の上面部が黒く見える。
【００４７】
これにより、押鍵すべき白鍵８が、沈み込んでいるかのように見えるので、あたかも押鍵されているかのように見える。このときには、白鍵８の第２波長選択部８ｂを透過して外周側に放出された青波長の光が、隣接する白鍵８および黒鍵９の各側面に照射され、この照射された光が鍵５間の隙間から漏れ、この漏れた光によっても押鍵すべき白鍵８が視覚的に沈み込んでいるかのように見える。
【００４８】
同様に、押鍵すべき黒鍵９に対応する第１発光素子３３が消灯して第２発光素子３２が点灯すると、第２発光素子３４が赤波長の光を発光し、押鍵すべき黒鍵９の上面部を暗くして下部外周面を赤く光らせることにより、図９に示すように、黒鍵９が沈み込んでいるかのように見せる。
【００４９】
すなわち、このときにも、図９に示すように、第２発光素子３２で発光した赤波長の光が黒鍵９の内部に照射され、その照射された赤波長の光が黒鍵９の下部に位置する第２波長選択部９ｂを透過して外周側に放出されることにより、黒鍵９の下部外周面が赤く光ると共に、黒鍵９の内部に照射された赤波長の光が黒鍵９の上部に位置する第１波長選択部９ａで吸収されることにより、黒鍵９の上面部が黒く見える。
【００５０】
これにより、図９に示すように、押鍵すべき黒鍵９が、沈み込んでいるかのように見えるので、あたかも押鍵されているように見る。このときにも、黒鍵９の第２波長選択部９ｂを透過して外周側に放出された青波長の光が、隣接する白鍵８および黒鍵９の各側面に照射され、この照射された光が黒鍵９と白鍵８との間の隙間から漏れ、この漏れた光によっても押鍵すべき黒鍵９が視覚的に沈み込んでいるかのように見える。
【００５１】
このように、複数の鍵５は、図９に示すように、各鍵５にそれぞれ対応する複数の第１発光素子３１、３３を全て点灯させて、各鍵５が浮き上がって押鍵されていないように見せ、この状態で演奏に応じて押鍵すべき鍵５に対応する第１発光素子３１、３３を順次消灯させて、第２発光素子３２、３４を順次点灯させることにより、押鍵すべき鍵５の下部外周面を明るく光らせて上面部を暗くすることができ、これにより押鍵すべき鍵５が沈み込んでいるかのように見せ、あたかも押鍵されているように見せることができる。
【００５２】
このように、この電子鍵盤楽器によれば、鍵盤シャーシ３上に複数の鍵５が並列に配列された状態で上下方向に回転可能に設けられた鍵盤装置において、鍵５が、その下側に開放された中空状に形成され、その鍵５の上部が特定波長の光を透過する第１波長選択部８ａ、９ａに形成され、この鍵５の下部が特定波長と異なる他の特定波長の光を透過する第２波長選択部８ｂ、９ｂに形成されており、鍵盤シャーシ３上には、鍵５の下側からその鍵５の内部に向けてそれぞれ前記特定波長の光を照射する第１発光素子３１、３３と、鍵５の下側からその鍵５の内部に向けてそれぞれ前記他の特定波長の光を照射する第２発光素子３２、３４とが、設けられているので、演奏に応じて、鍵５の動きをイメージとして実感させることができる。
【００５３】
すなわち、この電子鍵盤楽器では、第１発光素子３１、３３を発光させて特定波長の光を鍵５にその下側から照射すると、第１発光素子３１、３３による特定波長の光が第２波長選択部８ｂ、９ｂで遮断されて、鍵５の下部外周が暗くなり、この状態で第１発光素子３１、３３による特定波長の光が鍵５の第１波長選択部８ａ、９ａを透過するので、鍵５の上部を光らせることができ、これにより鍵５が浮き上がっているかのように見せることにより、鍵５が押鍵されていないように見せることができる。
【００５４】
また、第２発光素子３２、３４を発光させて他の特定波長の光を鍵５にその下側から照射すると、第２発光素子３２、３４による他の特定波長の光が鍵５の第２波長選択部８ｂ、９ｂを透過し、鍵５の下部外周を他の特定波長の光で光らせた状態で、第２発光素子３２、３４による他の特定波長の光が鍵５の第１波長選択部８ａ、９ａで遮断されて鍵５の上部を暗くすることができ、これにより鍵５が沈み込んで、あたかも押鍵されているかのように見せることができる。
【００５５】
このため、演奏に応じて、第１、第２の各発光素子３１〜３４の点灯状態を制御することにより、鍵５の動きをイメージとして実感させることができるほか、電磁石などの機械的な構造のアクチュエータを用いて、実際に鍵５を上下に動かす構造に比べて、構造が簡単で、鍵５の動きをイメージとして良好に実感させることができ、これにより低価格なものを提供することができる。
【００５６】
この場合、複数の鍵５は、第１、第２の各波長選択部８ａ、８ｂを有する複数の白鍵８と、第１、第２の各波長選択部９ａ、９ｂを有する複数の黒鍵９とを有し、白鍵８の第１波長選択部８ａと黒鍵９の第１波長選択部９ａとは透過する光の波長が異なり、白鍵８の第２波長選択部８ｂと黒９鍵の第２波長選択部９ｂとは透過する光の波長が異なることにより、白鍵８と黒鍵９とを異なる波長の光、つまり異なる色の光で光らせることができる。
【００５７】
すなわち、白鍵８と黒鍵９とに対応する第１発光素子３１、３３を点灯させた際には、白鍵８の第１波長選択部８ａを透過する光の波長と、黒鍵９の第１波長選択部９ａを透過する光の波長とが、異なるため、白鍵８と黒鍵９との各上面部をそれぞれ異なる色で光らせることができる。また、白鍵８と黒鍵９とに対応する第２発光素子３２、３４を点灯させた際には、白鍵８の第２波長選択部８ｂを透過する光の波長と、黒鍵９の第２波長選択部８ｂを透過する光の波長とが、異なるため、白鍵８と黒鍵９との各下部外周をそれぞれ異なる色で光らせることができる。
【００５８】
これにより、この電子鍵盤楽器では、各鍵５に対応する複数の第１発光素子３１、３３を発光させ、各鍵５の上面部を光らせて各鍵５を浮き上がらせるように見せる際に、複数の白鍵８と複数の黒鍵９とを色によって識別することができ、また各鍵５に対応する複数の第２発光素子３２、３４を発光させ、各鍵５の各下部外周を光らせて各鍵５を沈み込ませるように見せる際にも、複数の白鍵８と複数の黒鍵９とを色によって識別することができ、これにより初心者でも、演奏に応じて鍵５の動きをイメージとして実感し易くすることができる。
【００５９】
この場合、第１、第２の各発光素子３１〜３４は、そのいずれか一方を選択的に発光させることにより、押鍵すべき鍵５を識別することができると共に、押鍵すべき鍵５が押鍵されているかのような動きをイメージとして実感させることができる。すなわち、各鍵５にそれぞれ対応する複数の第１発光素子３１、３３を全て点灯させて、各鍵５が浮き上がって押鍵されていないように見せ、この状態で演奏に応じて押鍵すべき鍵５に対応する第１発光素子３１、３３を順次消灯させて、第２発光素子３２、３４を順次点灯させることにより、押鍵すべき鍵５の下部外周面を明るく光らせて上面部を暗くすることができ、これにより押鍵すべき鍵５が沈み込んでいるかのよう見せ、あたかも押鍵されているように見せることができる。
【００６０】
なお、上述した実施形態では、各鍵５にそれぞれ対応する複数の第１発光素子３１、３３を全て点灯させて、各鍵５が浮き上がって押鍵されていないかのように見せるように構成した場合について述べたが、これに限らず、例えば各鍵５にそれぞれ対応する複数の第１、第２の各発光素子３１〜３４を全て点灯させて、各鍵５が浮き上がって押鍵されていないかのように見せ、この状態で演奏に応じて押鍵すべき鍵５に対応する第１発光素子３１、３３のみを順次消灯させるように構成しても良い。
【００６１】
この場合には、図１０に示すように、各鍵５にそれぞれ対応する複数の第１、第２の各発光素子３１〜３４を全て点灯させると、各鍵５の上面部と下部外周面とがそれぞれ異なる色で光り、各鍵５が浮き上がって押鍵されていないように見せることができ、この状態で演奏に応じて押鍵すべき鍵５に対応する第１発光素子３１、３３のみを順次消灯させると、各鍵５の上面部のみが順次暗くなり、これにより各鍵５が順次沈み込んでいるかのように見せることができる。
【００６２】
また、上述した実施形態では、白鍵８の第１波長選択部８ａと黒鍵９の第１波長選択部９ａとが異なる波長の光を透過し、白鍵８の第２波長選択部８ｂと黒鍵９の第２波長選択部９ｂとが異なる波長の光を透過するように構成した場合について述べたが、これに限らず、例えば白鍵８の第１波長選択部８ａと黒鍵９の第１波長選択部９ａとが同じ波長の光を透過し、白鍵８の第２波長選択部８ｂと黒鍵９の第２波長選択部９ｂとが同じ波長の光を透過するように構成しても良く、また白鍵８の第１、第２の各波長選択部８ａ、８ｂと黒鍵９の第１、第２の各波長選択部９ａ、９ｂとの全てが、それぞれ異なる波長の光を透過するように構成しても良い。
【００６３】
さらに、上述した実施形態では、白鍵８の第１波長選択部８ａが赤波長の光を透過し、白鍵８の第２波長選択部８ｂが青波長の光を透過するように構成した場合について述べたが、これに限らず、例えば第１波長選択部８ａと第２波長選択部８ｂとで異なる波長の光を透過すれば、赤波長や青波長以外の他の色の波長、例えば黄色、緑色、橙色、紫色、茶色、桃色などのいずれかの波長を透過するように構成したものであっても良い。
【００６４】
同様に、黒鍵９の第１、第２の各波長選択部９ａ、９ｂについても、第１波長選択部９ａと第２波長選択部９ｂとで異なる波長の光を透過すれば、赤波長や青波長以外の他の色の波長、例えば黄色、緑色、橙色、紫色、茶色、桃色などのいずれかの波長を透過するように構成したものであっても良い。
【００６５】
なおまた、上述した実施形態では、鍵盤部２の複数の鍵５にその押鍵動作に応じてそれぞれアクション荷重を付与する複数のハンマー部材６を備えた構成である場合について述べたが、必ずしもハンマー部材６を備えた構成である必要はなく、例えば複数の鍵５の各後端部に肉厚の薄い屈曲部をそれぞれ形成し、この各屈曲部を鍵５の配列方向に連続する連結部にそれぞれ連結させ、この連結部を鍵盤シャーシ３上に取り付けて鍵盤部を構成した簡易型の電子鍵盤楽器にも適用することができる。
【００６６】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６７】
（付記）
請求項１に記載の発明は、鍵盤シャーシ上に複数の鍵が並列に配列された状態で上下方向に回転可能に設けられた鍵盤装置において、
前記鍵は、その下側に開放された中空状に形成され、その上部が特定波長の光を透過する第１波長選択部に形成され、下部が前記特定波長と異なる他の特定波長の光を透過する第２波長選択部に形成されており、
前記鍵盤シャーシ上には、前記鍵の下側からその鍵の内部に向けてそれぞれ前記特定波長の光を照射する第１発光素子と、前記鍵の下側からその鍵の内部に向けてそれぞれ前記他の特定波長の光を照射する第２発光素子とが、設けられていることを特徴とする鍵盤装置である。
【００６８】
請求項２に記載の発明は、請求項１に記載の鍵盤装置において、前記複数の鍵は、前記第１、第２の各波長選択部を有する複数の白鍵と、前記第１、第２の各波長選択部を有する複数の黒鍵とを有し、前記白鍵の前記第１波長選択部と前記黒鍵の前記第１波長選択部とは透過する光の波長が異なり、前記白鍵の前記第２波長選択部と前記黒鍵の前記第２波長選択部とは透過する光の波長が異なることを特徴とする鍵盤装置である。
【００６９】
請求項３に記載の発明は、請求項１または請求項２に記載の鍵盤装置において、前記第１、第２の各発光素子は、そのいずれか一方が選択的に発光することを特徴とする鍵盤装置である。
【００７０】
請求項４に記載の発明は、請求項１または請求項２に記載の鍵盤装置において、前記第１、第２の各発光素子は、その両方を同時に発光させた状態で、いずれか一方を選択的に消灯させることを特徴とする鍵盤装置である。
【符号の説明】
【００７１】
１  楽器本体
２  鍵盤部
３  鍵盤シャーシ
５  鍵
７  スイッチ部
８  白鍵
８ａ  第１波長選択部
８ｂ  第２波長選択部
９  黒鍵
９ａ  第１波長選択部
９ｂ  第２波長選択部
１２  素子基板
２２  スイッチ基板
３１、３３  第１発光素子
３２、３４  第２発光素子
【図１】
2012173386.tif 000003
【図２】
2012173386.tif 000004
【図３】
2012173386.tif 000005
【図４】
2012173386.tif 000006
【図５】
2012173386.tif 000007
【図６】
2012173386.tif 000008
【図７】
2012173386.tif 000009
【図８】
2012173386.tif 000010
【図９】
2012173386.tif 000011
【図１０】
2012173386.tif 000012